(57)【特許請求の範囲】
【請求項１】
筐体内に格納される各ユニットを同じ方向に引き出し可能に構成した画像形成装置において、
感光体とともに該感光体の潜像を現像する複数の現像ユニットを有したプロセスユニットと、
前記感光体上のトナー像が転写される中間転写体を有する中間転写ユニットと、
前記中間転写体のトナー像が転写される記録紙を搬送する搬送路ユニットとを引き出すことにより、各ユニット着脱部と前記筐体内とが露出するように構成したことを特徴とする画像形成装置。
【請求項２】
前記搬送路ユニットを引き出すことにより他のユニットの引き出しが可能となることを特徴とする請求項１に記載の画像形成装置。
【請求項３】
前記他のユニットは、記録紙搬送方向上流側より順次引き出し可能であることを特徴とする請求項２に記載の画像形成装置。
【請求項４】
前記現像ユニットのそれぞれは、独自の色トナー用トナーコンテナと連結し、該それぞれのトナーコンテナは、前記筐体から前記プロセスユニットを引き出すことなく前記各ユニットと同じ方向に着脱可能に構成したことを特徴とする請求項１に記載の画像形成装置。
【請求項５】
前記トナーコンテナの少なくとも一つは、前記筐体に配置され、他は前記プロセスユニットに配置されることを特徴とする請求項４に記載の画像形成装置。
【請求項６】
前記中間転写体および／または感光体上の残留トナーを回収して収納する廃トナー容器を前記プロセスユニットと異なるユニットに取り付けたことを特徴とする請求項１に記載の画像形成装置。
【請求項７】
前記中間転写体および／または感光体上の残留トナーを回収して収納する廃トナー容器を前記搬送路ユニットの記録紙搬送路から外れた引き出し方向奥側に配置したことを特徴とする請求項１に記載の画像形成装置。
【請求項８】
前記中間転写体は前記中間転写ユニットによって前記感光体と離接可能に設けるとともに、前記中間転写ユニットの位置基準部位を前記プロセスユニットに設け、前記中間転写ユニットが所定位置に収納された際に前記基準位置部位に嵌合して位置決めがされることを特徴とする請求項１に記載の画像形成装置。
【請求項９】
前記搬送路ユニットの搬送路下流側に定着ユニットを配置し、該定着ユニット内の定着ローラと連結して該定着ローラを手動回転可能な操作手段を、装置本体の奥側に配設したことを特徴とする請求項１に記載の画像形成装置。
【請求項１０】
筐体内に格納される各ユニットを同じ方向に引き出し可能に構成した画像形成装置において、
感光体とともに該感光体の潜像を現像する複数の現像ユニットを有したプロセスユニットと、該感光体上のトナー像が転写される中間転写体を有する中間転写ユニットと、該中間転写体のトナー像が転写される記録紙を搬送する搬送路ユニットとを引き出し可能に構成するとともに、
これらの各ユニットの駆動源となるモータ駆動ユニットを含めた駆動力伝達系の装置本体内の重量負担部を前記ユニット引き出し側と反対側に設け、
前記ユニットの全てを引き出したときに生じる重量モーメントを前記装置本体側の重量負担部のほうが大きくなるように設定したことを特徴とする画像形成装置。
【発明の詳細な説明】
【０００１】
【発明の属する技術分野】
本発明は、筐体内に格納される各ユニットを同じ方向に引き出し可能に構成した画像形成装置に関するものである。
【０００２】
【従来の技術】
従来から画像形成装置の各部分をユニット化して組み立ての容易化を図った画像形成装置は種々知られている。
【０００３】
【発明が解決しようとする課題】
しかしながら、メンテナンスの面で使用者が容易に行えるものはなかなか見いだされないことが現状であり、メンテナンス時の操作性の面で改善が望まれている。
【０００４】
本発明は上記問題に鑑みてなされたものであり、筐体内に格納される各ユニットを同じ方向に引き出し可能に構成し、操作性を向上した画像形成装置を提供することを目的とする。
また、本発明の他の目的は、各ユニットの引き出し手順に順序を設け誤動作を回避し、操作性を向上した画像形成装置を提供することである。
【０００５】
また、本発明の他の目的は、前記現像ユニットのそれぞれは、独自の色トナー用トナーコンテナと連結し、該それぞれのトナーコンテナは、前記プロセスユニットを引き出すことなく前記各ユニットと同じ方向に着脱可能に構成し、操作性を向上した画像形成装置を提供することである。
【０００６】
また、本発明の他の目的は、前記中間転写体上の残留トナーを回収して収納する廃トナー容器の取り付け位置を工夫して、メンテナンスの容易化を図り、操作性を向上した画像形成装置を提供することである。
また、本発明の他の目的は、中間転写ユニットとプロセスユニットとの位置関係を容易に設定でき、メンテナンスの容易化を図り、操作性を向上した画像形成装置を提供することである。
【０００７】
また、本発明の他の目的は、記録紙のジャム処理を容易に行えてメンテナンスの容易化を図り、操作性を向上した画像形成装置を提供することである。
【０００８】
【課題を解決するための手段】
本発明は、筐体内に格納される各ユニットを同じ方向に引き出し可能に構成した画像形成装置において、
感光体とともに該感光体の静像を現像する複数の現像ユニットを有したプロセスユニットと、
前記感光体上のトナー像が転写される中間転写体を有する中間転写ユニットと、
前記中間転写体のトナー像が転写される記録紙を搬送する搬送路ユニットとを引き出すことにより、各ユニット着脱部と前記筐体内とが露出するように構成したことを特徴とする。
【０００９】
また、前記搬送路ユニットを引き出すことにより他のユニットの引き出しが可能となるように構成することが望ましい。
【００１０】
かかる発明によると、筐体内に格納される各ユニットを同じ方向に引き出し可能に構成したので、メンテナンスが容易となる。そして、前記搬送路ユニットを引き出すことにより他のユニットの引き出しが可能となるように構成することによって、ジャム処理等により一番引き出し頻度が多い搬送路ユニットが先に引き出し可能であるためにメンテナンスが容易であり、操作性が向上する。
【００１１】
また、前記他のユニットは、記録紙搬送方向上流側より順次引き出し可能に構成することが望ましい。かかる技術手段によると、前記搬送路ユニットの次は中間転写ユニットであり、中間転写体に記録紙が巻き付いた場合に引き出し、現像器を有するプロセスユニットは使用者はほとんど引き出すことがないので、使用者にとって望ましいことである。
【００１２】
また、前記現像ユニットのそれぞれは、独自の色トナー用トナーコンテナと連結し、該それぞれのトナーコンテナは、前記プロセスユニットを引き出すことなく前記各ユニットと同じ方向に着脱可能に構成することも本発明の有効な手段である。
【００１３】
かかる技術手段によると、トナーコンテナを交換するときに前カバーを開けることによってトナーコンテナの前面側が露出し、トナーコンテナを手前に引き出すことできトナーコンテナの交換が容易に行うことができ、メンテナンスが容易である。
【００１４】
また、前記トナーコンテナの少なくとも一つは、前記筐体に配置され、他は前記プロセスユニットに配置されるように構成する事が望ましい。かかる技術手段によると黒色のトナーのように使用頻度が高いトナーのトナーコンテナを筐体に配置することによって、プロセスユニットの容積を小さくでき、よってプロセスユニットの重量が軽くなる。
【００１５】
また、前記中間転写体上の残留トナーを回収して収納する廃トナー容器を前記プロセスユニットと異なるユニットに取り付けるように構成することも本発明の有効な手段である。かかる技術手段によると、プロセスユニットが軽くなる。そして、プロセスユニットの上方に設けることなく、感光体や中間転写体より下方に廃トナー容器を設けることができ、その場合には、廃トナーが漏洩しても感光体や中間転写体上に落下することはない。
【００１６】
また、前記中間転写体上の残留トナーを回収して収納する廃トナー容器を前記搬送路ユニットの記録紙搬送路から外れた引き出し方向奥側に配置することが望ましい。かかる技術手段によると、使用者が搬送路ユニットを引き出した際に引き出し位置に達する時の衝撃でトナーがかかることがない。また、クリーニング装置から廃トナー容器に廃トナーを供給する供給口が搬送路ユニットの引き出しによって搬送通路を横断することがなく、搬送通路を汚すことがない。
【００１７】
また、前記中間転写体は前記中間転写ユニットによって前記感光体と離接可能に設けるとともに、前記中間転写ユニットの位置基準部位を前記プロセスユニットに設け、前記中間転写ユニットが所定位置に収納された際に前記基準位置部位に嵌合して位置決めがされるように構成することも本発明の有効な手段である。
【００１８】
かかる技術手段によると、前記中間転写ユニットの位置基準部位を前記プロセスユニットに設けているので、両ユニットを装置本体に装着する際には、プロセスユニットが先に装着され、その後に中間転写ユニットが装着されるので、プロセスユニットに設けた位置基準部位によって中間転写ユニットが位置決めされ、感光体と中間転写体の当接位置決めを精度よく行うことができる。
【００１９】
また、前記搬送路ユニットの搬送路下流側に定着ユニットを配置し、該定着ユニット内の定着ローラと連結して該定着ローラを手動回転可能な操作手段を、装置本体の奥側に配設することが望ましい。
【００２０】
かかる技術手段によると、本実施の形態においては、記録紙がジャムすると、そのジャムした位置によって、下流側もしくは上流側のユニットに記録紙を強制的に搬送するように構成されているので、定着ユニット側に強制搬送された記録紙を操作手段によって、搬送路ユニットが引き出される前に再度搬送路ユニットとまたがるように記録紙を戻すことがなく、それによって搬送路ユニットを引き出す際に記録紙が周囲の部材に接触して破けることがない。
【００２１】
また、本第２発明は、感光体とともに該感光体の潜像を現像する複数の現像ユニットを有したプロセスユニットと、該感光体上のトナー像が転写される中間転写体を有する中間転写ユニットと、該中間転写体のトナー像が転写される記録紙を搬送する搬送路ユニットを備え、これらの各ユニットの駆動源となるモータ駆動ユニットを含めた駆動力伝達系の装置本体内の重量負担部を前記ユニット引き出し側と反対側に設け、前記ユニットの全てを引き出したときに生じる重量モーメントを前記装置本体側の重量負担部のほうが大きくなるように設定したことを特徴とする。
【００２２】
かかる発明によると、プロセスユニットと、中間転写ユニットと、搬送路ユニットの全てのユニットを引き出しても、装置本体が引き出した方向に倒れることがない。
【００２３】
【発明の実施の形態】
以下、図面に基づいて本発明の実施の形態を例示的に詳しく説明する。但しこの実施の形態に記載されている構成部品の寸法、材質、形状、その相対配置などは特に特定的な記載がない限りは、この発明の範囲をそれのみに限定する趣旨ではなく単なる説明例に過ぎない。
【００２４】
図１６は、本発明の実施の形態に係る画像形成装置の外観図である。同図において、画像形成装置１００は、使用者が位置する側には前カバー１５が前側に開閉可能に配設され、該前カバー１５の上方には操作パネル１０と記録紙センサ１１を有した上部記録紙集積部３６が配設されている。
【００２５】
画像形成装置１００の左側面側には左横カバー２０が開閉可能に配設され、右側面側には右横カバー１６が開閉可能に配設されている。そして画像形成装置の下方には記録紙カセット１７、１８が積層して配設されている。
【００２６】
図１５は、本発明にかかる画像形成装置全体の断面図を示す。同図において、感光体ドラム１、光走査ユニット２、帯電器３、トナーコンテナを含んだ３個の現像ユニット４〜６、黒色トナーコンテナ２７、黒色用現像ユニット７、中間転写体１２、２次転写ローラ１３、定着器１４、画像が転写された記録媒体８を前記２次転写ローラ１３から定着器１４に搬送する無端ベルト９を用いた搬送装置等よりなる。
【００２７】
印刷時は各色毎に、感光体ドラム１を帯電器３より帯電し、光走査ユニット２から露光、各現像ユニット４〜７で現像した画像を中間転写体１２に転写し、図１６に示した記録紙カセット１７、１８から搬送される記録媒体８に２次転写ローラ１３で転写し、定着ユニット１４で加熱・加圧して定着させ排紙を行う。
【００２８】
図１は、本発明の実施の形態に係る前カバーを開けた状態を示す斜視図である。前カバー１５を前方に倒すと、記録紙カセット１７、１８から記録紙を受け取り、図示しないレジストローラに搬送する搬送路ユニット１９が画像形成装置の横幅いっぱいに配設され、該搬送路ユニット１９は後述するように前カバー１５の裏面上に引き出し可能に配設されている。
【００２９】
搬送路ユニット１９の上側には記録紙の搬送方向に沿って、後述する感光体ドラム１からトナー像が転写される中間転写体１２が配設される中間転写ユニット２２、前記感光体ドラム１と現像器が配設されるプロセスユニット２１、及び定着器ユニット１４が配設されている。
【００３０】
プロセスユニット２１には上方から斜め左に、イエロートナーが内蔵されるトナーコンテナ（トナー容器Ｙ）２４、マゼンタトナーが内蔵されるトナーコンテナ（トナー容器Ｍ）２５、シアントナーが内蔵されるトナーコンテナ（トナー容器Ｃ）２６が、手前方向に着脱可能に配設されている。そして、筐体２３の右上には黒トナーが内蔵されるトナーコンテナ（黒トナー容器）２７が手前方向に着脱可能に配設されている。
【００３１】
次に、前記した各ユニットの引き出し方法を説明する。前カバー１５を開くと、二次転写ローラ１３が中間転写体１２から離間した下方に下がる。中間転写ユニット２２に配置された中間転写体１２は図１に示すようにレバー３７が約４５°に傾斜しているときは、図１５に示すように中間転写体１２は感光体ドラム１と接触している。
そして、図２に示すように中間転写ユニット２２は、プロセスユニット２１に設けられた突起２１ｍと嵌合して位置決めされる開口部２２ｄを有し、両者が嵌合することによって、プロセスユニット２１に対する中間転写ユニット２２の位置決めを行っている。このようにすることで、中間転写体１２と感光体ドラム１との位置精度を向上させることができる。そして、レバー３７が矢印方向に回動してロック部材３８にロックされると前記中間転写体が感光体ドラム１から退避する。
【００３２】
搬送路ユニット１９は、把持部１９ａを把持して引き出すことができる。しかしながら、中間転写ユニット２２は搬送路ユニット１９によって図示しない部位が外側（前面側）から押圧されているので、搬送路ユニット１９が引き出されないと、単独での引き出しは出来ない。
【００３３】
また、プロセスユニット２１は、中間転写ユニット２２の開口部２２ｄの近傍の面によって押圧されているので、中間転写ユニット２２が引き出されないと、単独での引き出しは出来ない。また、定着ユニット１４は搬送路ユニット１９と一体で引き出される。
【００３４】
そして、その中間転写ユニット２２は搬送路ユニット１９が引き出された後に引き出すことができる。また、プロセスユニット２１も中間転写ユニット２２を引き出した後に引き出すことができる。また、これらの各ユニットの駆動源及び駆動力伝達系の重量負担部はこれらの各ユニットのさらに奥側に配設されている。そして、前記ユニットの全てを引き出したときに生じる重量モーメントを前記装置本体側の重量負担部のほうが大きくなるように設定している。
【００３５】
また、図３に示すように、搬送路ユニット１９を引き出すとレジストローラ対２８を上方から視認することができる。そして、図４に示すように、レジストローラ対２８の上流側においては、記録紙カセット１７側からの記録紙を搬送する送りローラ２９、３０が配設され、レジストローラ対２８側に記録紙が搬送されるようにカバー３２が配置されている。該カバー３２は送りローラ２９の回転軸心２９ａを中心として回動可能に構成されている。
【００３６】
よって、レジストローラ対２８より手前で記録紙のジャムが起こると、カバー３２の操作部３２ａを図３上時計方向に押圧し、カバー３２の上方を解放した状態を保持して図３に示すようにジャムした記録紙８を取り除くことができる。
【００３７】
また、図４に示すように、中間転写体１２及び感光体ドラム１上の残留トナーを削りとるクリーニング装置４５、３４は排出部３４ａから廃トナー容器３３に排出可能に構成されている。尚、感光体ドラム１からの排出経路は省略する。この廃トナー容器３３は、図３に示すように、搬送路ユニット１９の奥側に配置されている。よって、クリーニング装置３４は削りとった残留トナーをスクリュー搬送して排出部３４ａ側に搬送される。
【００３８】
また、排出部３４ａには図示しないが残留トナーの排出を防止するシャッタが配設され、該シャッタは搬送路ユニット１９が引き出される動作に連動して閉鎖され、装着動作に連動して廃トナー容器３３への排出通路が開成するように構成されている。
【００３９】
この廃トナー容器３３は、図５に示すように廃トナー容器３３を係合保持するレバー３５の時計方向の傾動によって係合保持が解除され、着脱自在に構成されている。そして、蓋３３ｂは、搬送路ユニット１９が装置本体に装着されているときは保持部３３ｃに吸着保持され、搬送路ユニット１９が引き出されたときは、廃トナー取り入れ口３３ａからの廃トナーのこぼれ落ちを防止するために廃トナー取り入れ口３３ａを遮蔽するものであり、廃トナー取り入れ口３３ａ、蓋３３ｂの裏面、及び保持部３３ｃには係合用の突起が植設されている。
【００４０】
搬送路ユニット１９が引き出された後には把持部２２ａを把持して図２に示すように、中間転写ユニット２２を引き出すことができる。引き出された中間転写ユニット２２は中間転写体１２の上方が解放された状態にあるので、記録紙が中間転写体１２に巻き込まれた際には、図６に示すように中間転写体１２のフランジと一体のギア１２ａを逆転させてジャムした記録紙８を引き抜くことができる。
【００４１】
中間転写ユニット２２を画像形成装置側に装着する際には、図７に示すように、把持部２２ｂを持って、上方奥側に配設されたローラ２２ｃ、２２ｃを装置本体側のガイドレール３６ａ、３６ｂに乗せて、中間転写ユニット２２を装置本体の奥に向かって押すことにより装置本体に装着することができる。また、搬送路ユニット１９が中間転写ユニット２２のガイドレールとなるようにしても良い。
【００４２】
次に、トナーコンテナの着脱方法を説明する。図８において、トナーコンテナ２４、２５、２６、２７ともに下面にトナー供給口が設けられ、該供給口にはトナーがこぼれ落ちるのを防止するシャッタ部材（不図示）がトナーコンテナの挿入動作に連動して、挿入動作完了前から前記シャッタ部材の開成が始まり挿入完了でシャッタ部材の開成が終了するように構成されている。
【００４３】
黒色のトナーコンテナ２７は、前面から押し下げできるように上下動可能な解除部材２７ｂが設けられ、該解除部材２７ｂの上面には、板バネで形成され、反り上がってトナーコンテナ２７の上面から若干突出した先端部を有したロックバネ２７ａが設けられ、筐体２３の右上に設けられたコンテナ収容室２３ａに挿入可能に形成され、前記ロックバネ２７ａがコンテナ収容室２３ａ内の係合部（不図示）と係合してトナーコンテナ２７の抜け落ちを防止している。
【００４４】
トナーコンテナ２７のコンテナ収容室２３ａへの装着が完了すると、図４に示すように、トナーコンテナ２７のトナー供給口が配管４０の入口（不図示）に対面し黒色トナーの供給が行われるように構成されている。尚、該配管のなかにはモータ４１によって回転してトナーを搬送するスクリュウーフィーダ（不図示）が設けられている。そして、この配管４０はプロセスユニット２１が装置本体に装着状態においては現像器７のトナー受け入れ口７ｃ（図４、図１３）と連結している。
【００４５】
図８において、プロセスユニット２１には、現像器と一体となったトナーコンテナ収容部が、イエロートナーコンテナ収容部２１ａ、マゼンタトナーコンテナ収容部２１ｂ、シアントナーコンテナ収容部２１ｃとして設けられている。
【００４６】
尚、それぞれのトナーコンテナには、黒色トナーコンテナ２７と同じように、前面から押し下げできるように上下動可能な解除部材２４ｂ、２５ｂ、２６ｂが設けられ、該解除部材２４ｂ、２５ｂ、２６ｂの上面には、板バネで形成され、反り上がってトナーコンテナ２４、２５、２６の上面から若干突出した先端部を有したロックバネ２４ａ、２５ａ、２６ａが設けられ、プロセスユニット２１に設けられたコンテナ収容室２１ａ、２１ｂ、２１ｃに挿入可能に形成され、前記ロックバネ２４ａ、２５ａ、２６ａがコンテナ収容室２１ａ、２１ｂ、２１ｃ内の係合部（不図示）と係合してトナーコンテナ２４、２５、２６の抜け落ちを防止している。
【００４７】
トナーコンテナ（２４、２５、２６）のコンテナ収容室（２１ａ、２１ｂ、２１ｃ）への装着が完了すると、トナーコンテナのトナー供給口（不図示）が各現像器の入口（不図示）に対面しトナーの供給が行われるように構成されている。よって、前カバー１５を開成することによって、各トナーコンテナを容易に交換することができる。そして、その際にはトナーコンテナ側のシャッタ部材がトナーコンテナの引き出し操作に応じて自動的にトナー供給口を閉鎖するのでトナー漏洩して周囲を汚すことがない。
【００４８】
図９はプロセスユニット２１を引き出した状態を示す。このプロセスユニット２１の一部位（不図示）が、中間転写ユニット２２の一部位（不図示）に、装着状態で奥側から当接しているので、搬送路ユニット１９を引き出した状態では、プロセスユニット２１の把持部２１ｄを持ってひきだすことは可能である。
【００４９】
しかしながら、その際には中間転写ユニット２２をともに引っ張ることとなり、負荷が大きくなり、中間転写ユニット２２を引き出した後にプロセスユニット２１を引き出すことが望ましい。
【００５０】
図１０はプロセスユニット２１に対してイエロー色の現像ユニット４の着脱方法を示す図であり、現像ユニット４の両端部に設けられたガイドピン４ａ、４ａを、プロセスユニット２１の内側に設けられたガイド溝２１ｅ、２１ｅに挿入することにより装着される。
【００５１】
図１１はプロセスユニット２１に対してマゼンタ色の現像器５を着脱方法を示す図であり、現像ユニット５の両端部に設けられたガイドピン５ａ、５ａを、プロセスユニット２１の内側に設けられたガイド溝２１ｆ、２１ｆに挿入することにより装着される。
【００５２】
図１２はプロセスユニット２１に対してシアン色の現像ユニット６を着脱方法を示す図であり、現像ユニット６の両端部に設けられたガイドピン６ａ、６ａを、プロセスユニット２１の内側に設けられたガイド溝２１ｇ、２１ｇに挿入することによって装着される。
【００５３】
図１３はプロセスユニット２１に対して黒色の現像ユニット７を着脱方法を示す図であり、前記現像ユニット４、５、６とは反対側に、現像ユニット７の両端部に設けられたガイドピン７ａ、７ａ、７ｂ、７ｂを、プロセスユニット２１の内側に設けられたガイド溝２１ｊ、２１ｊ、２１ｋ、２１ｋに挿入することによって装着される。
【００５４】
また、図１４に示すように、搬送路ユニット１９の搬送ベルト９の下流側に定着ユニット１４が着脱可能に配設されている。この定着ユニット１４には定着ローラ４２（図１５）と歯車連結して該定着ローラ４２を回動させるダイアル４３（図３）が配設されている。このダイアル４３は手動で回転させるものであり、装置本体奥側の定着ユニット１４の端部に設けられている。よって、搬送路ユニット１９が引き出されないときは、定着ローラ４２に記録紙がジャムしていても、その記録紙を手動搬送することはできない。
【００５５】
本実施の形態においては、図示しない搬送経路に記録紙センサが設けられ、記録紙の正常搬送を監視している。そして、記録紙がジャムしたことを検出すると、搬送路ユニット１９（定着ユニット１４も含む）と他の部分とにまたがって記録紙が停止しないように強制送り（強制戻しでも可）を行った後に記録紙搬送を停止する。
【００５６】
例えば、中間転写体１２に記録紙が巻き付いたときは、その時点で記録紙の搬送を停止しないで、強制送りを行い中間転写体１２にさらに巻き付かせて停止する。また、搬送路ユニット１９の受入部や排出部で搬送路ユニット１９以外の部分にもまたがって記録紙がジャムした際には、その時点で停止しないで、強制送りを行い、搬送路ユニット１９に、または搬送路ユニット１９外に完全に記録紙を送った後に停止する。よって、記録紙がジャムした際には、一つのユニットを取り出した際にジャムした記録紙が破れることを防止できる。
【００５７】
したがって、定着ユニット１４で記録紙がジャムした場合は、前記ダイアル４３が前カバー側に設けてあると、せっかく本体の排出側に強制送りを行ったものが、使用者が該ダイアル４３にふれて逆送りが行われ、本体の排出側と搬送路ユニット１９との間に記録紙がまたがってしまう。それに対して搬送路ユニット１９を引き出した後に、前記ダイアル４３を回動できるようにすれば、搬送路ユニット１９の引き出しの際に、ジャムした記録紙が破れず、引き出した後に、ダイアル４３で定着ユニット１４に挟まれた記録紙を取り出すことができる。
【００５８】
【発明の効果】
以上、詳細に説明したように本発明は、筐体内に格納される各ユニットを同じ方向に引き出し可能に構成したので、メンテナンスが容易となる。そして、前記搬送路ユニットを引き出すことにより他のユニットの引き出しが可能となるように構成することによって、ジャム処理などで一番引き出し頻度が多い搬送路ユニットが先に引き出し可能であるためにメンテナンスが容易であり、操作性が向上する。
【図面の簡単な説明】
【図１】  本発明の実施の形態に係る前カバーを開けた状態を示す斜視図である。
【図２】  搬送路ユニットと中間転写ユニットの引き出し状況を説明する説明図である。
【図３】  搬送路ユニットを引き出した状態を示す説明図である。
【図４】  画像形成装置内部の要部の概略図である。
【図５】  廃トナー容器の説明図である。
【図６】  中間転写ユニットの説明図である。
【図７】  中間転写ユニットを装置本体側に装着する説明図である。
【図８】  トナーコンテナの着脱操作を説明する説明図である。
【図９】  プロセスユニットを引き出した状態を示す説明図である。
【図１０】  現像ユニットの着脱方法を説明する説明図１である。
【図１１】  現像ユニットの着脱方法を説明する説明図２である。
【図１２】  現像ユニットの着脱方法を説明する説明図３である。
【図１３】  現像ユニットの着脱方法を説明する説明図４である。
【図１４】  定着ユニットの着脱方法を説明する説明図である。
【図１５】  本発明の実施の形態に係る画像形成装置の概略断面図である。
【図１６】  本発明の実施の形態に係る画像形成装置の外観図である。
【符号の説明】
１      感光体ドラム
１４    定着ユニット
１９    搬送路ユニット
２１    プロセスユニット
２２    中間転写ユニット
２３    筐体
【図１】
0004040260.tif 000002
【図２】
0004040260.tif 000003
【図３】
0004040260.tif 000004
【図４】
0004040260.tif 000005
【図５】
0004040260.tif 000006
【図６】
0004040260.tif 000007
【図７】
0004040260.tif 000008
【図８】
0004040260.tif 000009
【図９】
0004040260.tif 000010
【図１０】
0004040260.tif 000011
【図１１】
0004040260.tif 000012
【図１２】
0004040260.tif 000013
【図１３】
0004040260.tif 000014
【図１４】
0004040260.tif 000015
【図１５】
0004040260.tif 000016
【図１６】
0004040260.tif 000017